(57)【要約】    【課題】  ドアを開くことにより、下方突起の保持対象を保持し得、ドアを閉じる向きに十分な力を加えれば保持を解除し得、保持対象を保持する際の騒音、保持装置の故障、保持対象を保持し切れず保持装置から離脱することを防ぐ。    【解決手段】  基盤部Ｓ、揺動レバーＬ、板バネＥ、受止部Ｒ、コイルバネＩ、蓋状のカバー体Ｖからなる。各揺動レバーＬは水平方向に揺動し先端部は水平方向に開閉するゲート部Ｇを構成する。板バネＥは両揺動レバーＬの先端部が水平方向に閉じる向きに弾性的に付勢する。受止部Ｒは、ゴム状弾性片Ｒ１が水平方向前後に突出する保持体Ｒ２の後端部を圧縮コイルバネＩにより水平方向前方向きに支持する。カバー体Ｖを基盤部Ｓに取り付けることにより、周壁部Ｖ２の一箇所から半径方向に上板部Ｖ１の中央部に至る開放部Ｕに、両揺動レバーＬの先端部と、受止部Ｒの前部から後部にわたる部分が現れ、他は覆蓋される。【選択図】      図１
2009167772.tif 000002
【特許請求の範囲】
【請求項１】
水平状の面の上側近傍の所定の水平方向通過経路を往復動し得る、上方に延びていてもよい保持対象を、前記水平方向通過経路のうち一端部である保持位置において保持することができ、前記水平方向通過経路のうち前記保持位置以外の部分である非保持位置においては保持しない保持装置であって、
保持対象の水平方向通過経路のうち保持位置と非保持位置の間において水平方向に開閉することにより保持対象の水平方向通過を許否するためのゲート部と、
保持対象の水平方向通過経路のうち前記ゲート部との間に保持位置を挟んで一端側に位置して、非保持位置からゲート部を経て水平方向通過経路を一端に向かって運動する前記保持対象を緩衝受止するための受止部を備え、
前記ゲート部は、水平方向に閉じる向きに付勢され、閉じた状態において前記付勢力に抗して保持対象が水平方向通過経路を保持位置と非保持位置の一方から他方に向かって通過しようとすることにより、水平方向に開いてその保持対象の水平方向通過を許し、水平方向に開いた状態で上方開放状をなすものであることを特徴とする保持装置。
【請求項２】
ゲート部と受止部により、上記保持位置において保持対象を弾性的に保持し得るものである請求項１記載の保持装置。
【請求項３】
ゲート部が水平方向に開閉すると共にゲート部を水平方向に閉じる向きに付勢するためのゲート部作動機構、及び、受止部が水平方向通過経路を一端に向かって運動する保持対象を緩衝受止するための受止部作動機構を備えており、ゲート部作動機構及び受止部作動機構のうち保持対象の水平方向通過経路又はその近傍に位置するもの以外の部分を覆蓋して上方からの下向き押圧に対しゲート部及び受止部の作動を保護するためのカバー部を備える請求項１又は２記載の保持装置。
【請求項４】
上記カバー部は、少なくとも上板部と周壁部を有し、
それらの上板部と周壁部には、保持対象の水平方向通過経路に沿って開放部が形成されており、
前記開放部のうち非保持位置側の端部である外端部に、外端底板部と、水平方向通過経路を挟んで外端底板部の両側に立設されて上板部を支持する側壁部を有し、
前記外端底板部は、その上面が、保持対象の水平方向通過経路の下側に臨むものである請求項１、２又は３記載の保持装置。
【請求項５】
基盤部を有し、その基盤部上にカバー部が支持され、上記外端底板部が基盤部の対応位置に設けられた上方開口の嵌合凹部に嵌合している請求項４記載の保持装置。
【請求項６】
上記嵌合凹部が基盤部の下方に貫通している請求項５記載の保持装置。
【発明の詳細な説明】
【技術分野】
【０００１】
本発明は、垂直軸線のまわりの往復円弧状運動により開閉する扉体等に設けられた下方突起の保持対象等を、床面等における所定位置で保持して扉体を所定位置で保持すること等ができる保持装置に関する。
【背景技術】
【０００２】
特開平９−１５８５９０号公報（特許文献１）には、固定部材に回動自在に設けられたドア等の可動部材を、上記固定部材に回動不能に保持するための係止装置であって、固定部材に設けられる受け具と、ドア等の可動部材に設けられる係止軸とからなるものが開示されている。
【０００３】
上記受け具は、所定の厚さを有する板状体と、この板状体の内部に形成された環状溝と、先端が上記板状体の一端面に開放し中途部が一側面に開放するとともに上記環状溝と交差し、後端が上記環状溝の径方向ほぼ中心部に位置するよう形成された挿入溝と、上記板状体の内部で、上記挿入溝の後端側に上記環状溝と連通して形成された逃げ部と、上記環状溝のほぼ全体にわたって転動自在に設けられているとともに上記挿入溝の中途部と交差する箇所ではこの挿入溝に突出した複数のボ−ルと、上記逃げ部に設けられ上記可動部材の回動によって上記係止軸が上記挿入溝の先端から挿入されて上記挿入溝の中途部に突出したボ−ルを押圧したときに弾性的に変形して上記逃げ部に対向位置するボ−ルが上記逃げ部へ入り込むのを許容するとともに、上記係止軸が上記挿入溝の後端まで挿入されると復元力で上記逃げ部に入り込んだボ−ルを環状溝へ押し戻すばねとを具備するものである。
【０００４】
この係止装置によれば、可動部材であるドア等を回動させて係止軸を挿入溝に沿ってスライドさせ、その後端に挿入させることはできるが、逆方向へスライドさせることはできない。したがって、固定部材に対してドア等の可動部材を、不用意な外力などによって係合状態が外れるようなことなく確実に保持することができる。
【０００５】
しかしながら、上記係止軸と挿入溝との係合状態を外す場合には、係止軸を軸方向にスライドさせてその先端部を挿入溝から外す必要があり、係止軸を軸方向にスライドさせる操作を行わない限り、ドア等の可動部材を逆向きに回動させることはできない。また、この係止装置は、扉体が開く速度が比較的速い場合に、係止軸を保持する際に大きな音が発生したり、受け具に故障が発生したり、係止軸が受け具から跳ね返って係止軸を保持され切れない可能性がある。もっとも、係止軸が挿入溝の後端まで挿入されて逃げ部に入り込んだボ−ルが環状溝へ押し戻されたならば、前述のように係合が外れることは防がれる。
【０００６】
特開２００４−１３１９９７公報（特許文献２）には、ドアに固定されるストライクと、床面に固定される戸当たり本体部１０ａとからなるものであって、戸当たり本体部１０ａは縦状の短軸枠体１と、側面に付設される該ストライクのピンを出入り自在とするピン開口部Ｘと、一端が軸支され該ピン開口部の所定位置にバネ８の付勢により配設されピンの押圧力によりバネ付勢に抗して所定角度回動するアーム部材３と、短軸枠体１に回動自在に遊嵌すると共にアーム部材３の先端係合部３３との係合により所定角度回動してピン開口部Ｘを開状態又は閉状態にするリング状回動体２を備える床付け戸当たりが開示されている。
【０００７】
ドアＡが開かれストライクピン１０１がピン開口部Ｘに入ってくると、ピン１０１の押圧力によりバンパー部材４の前段部材４２がバネ付勢に抗して後方に押され、アーム部材当接部４３がアーム部材３を更に押すためアーム部材３はボス１９２を中心に回動する。アーム部材３の先端係合部３３はリング状回動体２の係合溝２３ｄと係合しているため、リング状回動体２も回転する。この際、ピン開口部Ｘにはリング状回動体２の壁部２１ｄが位置して開口を閉じる。これによりドアは開状態でロックされる。
【０００８】
ドアＡを更に開ける方向に押すと、最初の作動順序と同様にピン１０１の押圧力によりバンパー部材４の前段部材４２がバネ付勢に抗して後方に押され、アーム部材当接部４３がアーム部材３を更に押すためアーム部材３はボス１９２を中心に回動し、リング状回動体２も同様の方向に回転する。この際、ピン開口部Ｘにはリング状回動体２の開口部２２ｄが位置して開口を開けるのでロックが解除されてドアを閉じることができる。
【０００９】
しかしながらこの戸当たりは、前記のようなリング状回動体２を回動させるための機構において、製造コスト及び故障発生率を押し上げることになる。特に、ドアが開く速度が比較的速い場合に、ストライクピンを保持する際に大きな音が発生したり、戸当たりに故障が発生したり、ストライクピンが戸当たりから跳ね返ってストライクピンを保持され切れない可能性がある。また、ストライクピンが戸当たりに保持されてドアが開いた状態においてドアを開く向きに押すことにより、ストライクピンの保持が解除されるので、誤操作による保持解除の可能性があった。もっとも、ピンが内部に入ってリング状回動体２の壁部２１ｄが開口を閉じた後は、ピンが離脱することは防がれる。
【特許文献１】特開平９−１５８５９０号公報
【特許文献２】特開２００４−１３１９９７公報
【発明の開示】
【発明が解決しようとする課題】
【００１０】
本発明は、従来技術に存した上記のような課題に鑑み行われたものであって、その目的とするところは、垂直軸線のまわりの往復円弧状運動により開閉する扉体等に設けられた下方突起の保持対象等を、その保持対象を水平方向通過経路上の一端部の保持位置に向かって他端側から移動させることにより保持することができると共に、保持位置において保持された保持対象に対し他端側に向かう十分な力を加えれば、保持を解除して他端側へ移動させることができ、而も保持対象の速度が比較的速い場合に、保持対象を保持する際に発生し得る大きな音が発生すること、保持装置に故障が発生すること、保持対象を保持し切れずに跳ね返って保持装置から離脱してしまうこと等を効果的に防いで、可及的に静かに而も確実性高く保持対象を保持することができる保持装置を提供することにある。
【課題を解決するための手段】
【００１１】
上記目的を達成する本発明の保持装置は、
水平状の面の上側近傍の所定の水平方向通過経路を往復動し得る、上方に延びていてもよい保持対象を、前記水平方向通過経路のうち一端部である保持位置において保持することができ、前記水平方向通過経路のうち前記保持位置以外の部分である非保持位置においては保持しない保持装置であって、
保持対象の水平方向通過経路のうち保持位置と非保持位置の間において水平方向に開閉することにより保持対象の水平方向通過を許否するためのゲート部と、
保持対象の水平方向通過経路のうち前記ゲート部との間に保持位置を挟んで一端側に位置して、非保持位置からゲート部を経て水平方向通過経路を一端に向かって運動する前記保持対象を緩衝受止するための受止部を備え、
前記ゲート部は、水平方向に閉じる向きに付勢され、閉じた状態において前記付勢力に抗して保持対象が水平方向通過経路を保持位置と非保持位置の一方から他方に向かって通過しようとすることにより、水平方向に開いてその保持対象の水平方向通過を許し、水平方向に開いた状態で上方開放状をなすものであることを特徴とする。
【００１２】
保持対象の水平方向通過経路に対し保持装置が適切に配設された状態で、保持対象が水平方向通過経路を非保持位置から保持位置に向かって移動し、ゲート部を通過しようとする際に、保持対象が、閉じた状態のゲート部における水平方向に閉じる向きの付勢力に抗してゲート部を開くことができる運動エネルギーを有し又は力を受ければ、ゲート部が開いて保持対象の非保持位置から保持位置への水平方向通過が許される。
【００１３】
その際、保持対象が前記付勢力に抗してゲート部を開くことにより、保持対象の水平方向一端向きの速度は低下する。
【００１４】
ゲート部は水平方向に開いた状態で上方開放状をなす。すなわち、ゲート部のうち少なくとも水平方向に開いた部分の上方は、少なくとも保持対象が通過可能な程度に開放されている。そのため、水平状の面の上側近傍の所定の水平方向通過経路を往復動し得る保持対象が上方に延びていても、ゲート部は、その保持対象の水平方向通過を許容することができる。
【００１５】
保持対象が更に水平方向一端向きに進むと、保持対象は、受止部により緩衝受止されて受止部とゲート部の間で保持される。
【００１６】
このように、水平方向通過経路を一端に向かう保持対象の速度が、ゲート部を開く際の抵抗と受止部の緩衝作用により段階的に低下した後、その保持対象がゲート部と受止部の間に保持されるので、保持対象の速度が比較的速い場合に、保持対象を保持する際に発生し得る大きな音が発生すること、保持装置に故障が発生すること、保持対象を保持し切れずに跳ね返って再度ゲート部が開いて保持装置から非保持位置へと離脱してしまうこと等を効果的に防いで、可及的に静かに而も確実性高く保持対象を保持することができる。
【００１７】
保持対象の保持を解除するには、保持対象に対し水平方向通過経路を他端に向かう向きに十分な力を加えれば、閉じた状態のゲート部における水平方向に閉じる向きの付勢力に抗してゲート部を開くことができ、保持対象を保持位置からゲート部を経て非保持位置に離脱させることができる。
【００１８】
本発明の保持装置は、ゲート部と受止部により、上記保持位置において保持対象を弾性的に保持し得るものとすることができる。
【００１９】
この場合、ゲート部と受止部により、上記保持位置において保持対象を弾性的に保持することにより、扉体が、がたつきなく開放状態で維持される。
【００２０】
本発明の保持装置は、ゲート部が水平方向に開閉すると共にゲート部を水平方向に閉じる向きに付勢するためのゲート部作動機構、及び、受止部が水平方向通過経路を一端に向かって運動する保持対象を緩衝受止するための受止部作動機構を備えており、ゲート部作動機構及び受止部作動機構のうち保持対象の水平方向通過経路又はその近傍に位置するもの以外の部分を覆蓋して上方からの下向き押圧に対しゲート部及び受止部の作動を保護するためのカバー部を備えるものとすることができる。
【００２１】
ゲート部作動機構及び受止部作動機構のうち保持対象の水平方向通過経路又はその近傍に位置するもの以外の部分（水平方向通過経路に位置するもの以外の全て或いは、水平方向通過経路及びその近傍に位置するもの全て）をカバー部が覆蓋して上方からの下向き押圧に対しゲート部及び受止部の作動を保護するので、保持装置が人に踏まれたり荷物等の一部が載ることにより上方からの下向き押圧力が作用した場合においても保持対象の保持及び解放に支障が生じることが防がれる。
【００２２】
また本発明の保持装置は、
上記カバー部は、少なくとも上板部と周壁部を有し、
それらの上板部と周壁部には、保持対象の水平方向通過経路に沿って開放部が形成されており、
前記開放部のうち非保持位置側の端部である外端部に、外端底板部と、水平方向通過経路を挟んで外端底板部の両側に立設されて上板部を支持する側壁部を有し、
前記外端底板部は、その上面が、保持対象の水平方向通過経路の下側に臨むものとすることができる。
【００２３】
カバー部は、少なくとも上板部と周壁部を有し、上板部と周壁部には、保持対象の水平方向通過経路に沿って開放部が形成されており、前記開放部のうち非保持位置側の端部である外端部に、上面が保持対象の水平方向通過経路の下側に臨む外端底板部と、水平方向通過経路を挟んで外端底板部の両側に立設されて上板部を支持する側壁部を有する。
【００２４】
そのため、カバー部上に作用する下向きの押圧力に対し、開放部の外端部付近の剛性及び強度が効果的に補強され、カバー部全体の剛性及び強度が向上する。
【００２５】
それにより、カバー部の上板が下向きに変形してカバー部の上板の下面等がゲート部作動機構又は受止部作動機構に接することによりそれらの動作が妨げられることが防がれる。
【００２６】
なお、外端底板部は、ゲート部から見て外端部側に位置している。
【００２７】
また本発明の保持装置は、基盤部を有し、その基盤部上にカバー部が支持され、上記外端底板部が基盤部の対応位置に設けられた上方開口の嵌合凹部に嵌合しているものとすることができる。
【００２８】
この場合、外端底板部が基盤部の対応位置に設けられた上方開口の嵌合凹部に嵌合することにより、カバー部全体の剛性及び強度を向上させつつ、上面が保持対象の水平方向通過経路の下側に臨む外端底板部上面の高さを十分に低くすることができる。これにより、全体を高さを低く抑えつつゲート部及び受止部の高さを十分に確保して保持対象を確実に保持し得るものとすることができる。
【００２９】
また本発明の保持装置は、上記嵌合凹部が基盤部の下方に貫通しているものとすることができる。
【００３０】
この場合、嵌合凹部が基盤部の下方に貫通し、この嵌合凹部に外端底板部が嵌合することにより、カバー部全体の剛性及び強度を向上させつつ、上面が保持対象の水平方向通過経路の下側に臨む外端底板部上面の高さを更に低くすることができる。
【発明の効果】
【００３１】
本発明の保持装置においては、保持対象が水平方向通過経路を非保持位置から保持位置に向かって移動し、ゲート部を通過しようとする際に、保持対象が、閉じた状態のゲート部における水平方向に閉じる向きの付勢力に抗してゲート部を開くことができる運動エネルギーを有し又は力を受ければ、ゲート部が開いて保持対象の非保持位置から保持位置への水平方向通過が許される。
【００３２】
保持対象の保持を解除するには、保持対象に対し水平方向通過経路を他端に向かう向きに十分な力を加えれば、閉じた状態のゲート部における水平方向に閉じる向きの付勢力に抗してゲート部を開くことができ、保持対象を保持位置からゲート部を経て非保持位置に離脱させることができる。
【００３３】
保持対象が水平方向通過経路を非保持位置から保持位置に向かう保持対象の速度が、ゲート部を開く際の抵抗と受止部の緩衝作用により段階的に低下した後、その保持対象がート部と受止部の間に保持されるので、保持対象の速度が比較的速い場合に、保持対象を保持する際に発生し得る大きな音が発生すること、保持装置に故障が発生すること、保持対象を保持し切れずに跳ね返って再度ゲート部が開いて保持装置から離脱してしまうこと等を効果的に防いで、可及的に静かに而も確実性高く保持対象を保持することができる。
【発明を実施するための最良の形態】
【００３４】
本発明の実施の形態を、図面を参照しつつ説明する。
【００３５】
図面は何れも本発明の実施の形態の一例としてのドア（扉体）用の保持装置に関するものであって、図１は平面図、図２は被保持棒が保持装置に保持された状態の要部縦断面図、図３は被保持棒が保持装置に保持された状態の背面視説明図、図４は正面図、図５はカバー体を外した状態の平面図、図６は、図５における基盤部のVI−VI線端面図、図７は受止部及びコイルバネの側面を含む縦断面図、図８は揺動レバーを含む縦断面図、図９はカバー体の平面図、図１０はカバー体の一部破砕正面図、図１１はカバー体の縦断面図、図１２は基盤部の平面図である。
【００３６】
(1) 本例におけるドアＯは、垂直軸線のまわりに揺動し、出入り口等を開閉するものである。ドアＯの下面は、床面Ｆと所定間隙を隔てて相対する。
【００３７】
ドアＯのうち、ドアＯが開く際に前方側に位置する側面の下部に、ドアＯの下面よりも下方に突起する被保持棒Ｂ（保持対象）が、被保持棒支持体Ｃを介して設けられている。ドアＯの開閉に伴い、被保持棒Ｂは、水平方向通過経路Ｐを水平方向に移動する。
【００３８】
被保持棒Ｂの下部は円柱形状をなす（保持対象は円柱形状に限るものではない）。被保持棒Ｂの下端の高さ、すなわち被保持棒Ｂの下端面と床面Ｆとの間隙寸法は、ドアＯの側面下部に固定された被保持棒支持体Ｃに対し被保持棒Ｂをねじ止めする際の被保持棒Ｂの高さを選択することにより調節することができる。
【００３９】
(2) 保持装置Ｈは、主に、基盤部Ｓと、一対の揺動レバーＬと、一対の板バネＥと、受止部Ｒと、一対のコイルバネＩと、上板部Ｖ１と周壁部Ｖ２を有する蓋状のカバー体Ｖからなる。
【００４０】
(3) 基盤部Ｓは、略円板状をなし、その所定直径Ｄの一端部に嵌合切欠部Ｎ（嵌合凹部）が形成されている。嵌合切欠部Ｎは略方形状をなし、その径方向内方側の一辺は所定直径Ｄに直交する状態で前記の所定直径Ｄに対し対称状をなす。
【００４１】
基盤部Ｓは、所定直径Ｄが被保持棒Ｂの水平方向通過経路Ｐにほぼ一致するようにしてねじ孔Ｋを利用して床面Ｆにねじ止めされる。
【００４２】
基盤部Ｓ上には、カバー体Ｖの上板部Ｖ１の下面を支持して上板部Ｖ１の下方撓みを可及的に防ぎ得る壁体Ｗが立設されている。
【００４３】
なお、基盤部はこのような略円板状をなすものに限らない。床面を覆うタイル等の床材又はその他の物が基盤部を構成するものとすることもできる。
【００４４】
(4) 各揺動レバーＬは、基部に被支持円筒部Ｌ１を有し、その被支持円筒部Ｌ１の基端側に径方向外方突出の停止片Ｌ２を有し、被支持円筒部Ｌ１から先端に向かって水平状にゲートレバー部Ｌ３が延びるものである。この各揺動レバーＬは、被支持円筒部Ｌ１が、基盤部Ｓ上の前記所定直径Ｄを挟んで対称位置に立設された一対の円柱状の支持軸体Ｊに外嵌された状態で、その支持軸体Ｊのまわりに水平方向に揺動し得るように対称状に支持されている。
【００４５】
両揺動レバーＬにおけるゲートレバー部Ｌ３の先端部は、基盤部Ｓの嵌合切欠部Ｎの半径方向内方位置において所定直径Ｄを水平方向に挟む状態で互いに対称状に相対して、水平方向に開閉するゲート部Ｇを構成している。ゲート部Ｇが閉じた状態というのは、ゲートレバー部Ｌ３の先端部同士が接した状態となることを要するものではなく、被保持部の通過を阻み得る程度に閉じていることを言う。また、ゲート部Ｇの水平方向開閉は、一対の可動部が何れも移動して開閉するものであることを必ずしも要しない。例えば、固定部に対し可能部が移動して開閉するものとすることもできる。
【００４６】
また、両揺動レバーＬにおけるゲートレバー部Ｌ３の基部外側（すなわち、両揺動レバーＬが相対する側の逆側）にそれぞれ設けられた被押圧突起部Ｌ４が、基盤部Ｓに対し固定された一対のＬ字形状の板バネＥの先端部により弾性的に押圧されることによって、両揺動レバーＬの先端部（ゲートレバー部Ｌ３の先端部）が、それらが相対する内向き、すなわち水平方向に閉じる向きに弾性的に付勢されている。両板バネＥの基部は、壁体Ｗによってそれぞれ支持されている。ゲート部Ｇに対する付勢は、弾性的な付勢力を別部材（板バネＥに限るものではなく、圧縮コイルバネ、ねじりコイルバネ等の各種バネ、その他の弾性材料や空気圧利用弾性支持部品等の弾性支持部品を用いることもできる。）により付与するものとすることができるほか、ゲート部Ｇを構成する部材自体を弾性的な材料により構成し、その弾性的な力により付勢が行われるものとすることもできる。
【００４７】
各揺動レバーＬの先端部のうち、両先端部同士が相対する内側部の形状は、基盤部Ｓの所定直径Ｄ上における揺動レバーＬの先端部よりも径方向外方部（非保持位置）と径方向内方部（保持位置）の間を、被保持棒Ｂが先端部同士の間を広げつつなるべく円滑にその揺動レバーＬの先端部同士の間、すなわちゲート部Ｇを通過し得るように、内側に凸の曲面で形成されている。
【００４８】
両揺動レバーＬの先端部同士が必要以上に接近することは、各停止片Ｌ２が壁体Ｗに当たることによって防がれ、それにより、両揺動レバーＬの先端部同士が必要以上に接近して被保持棒Ｂがゲート部Ｇを通過することが困難になることが防止される。
【００４９】
なお、ゲート部Ｇは、このような揺動レバーＬにより構成されるものに限らず、例えば、基盤部Ｓの所定直径Ｄに対し垂直方向に水平移動する一対の部材が、水平方向に閉じる向きに弾性的に付勢されているものとすることや、その他の構成を採用することも可能である。
【００５０】
(5) 基盤部Ｓの所定直径Ｄ上におけるゲート部Ｇよりも径方向内方側に受止部Ｒが位置する。
【００５１】
受止部Ｒは、ゴム状弾性片Ｒ１（その他の弾性体を用いることもできる）を、その前後端部が水平方向に突出するように剛性材料（硬質合成樹脂又はその他の材料）製の保持体Ｒ２により保持してなる。保持体Ｒ２から前方に突出するゴム状弾性片Ｒ１の前面には、垂直軸線を中心とする後方に凹の円弧状凹面部Ｒ１１が、被保持棒Ｂの側面部を嵌合受止するために形成されている。
【００５２】
保持体Ｒ２の後端部両側にそれぞれ設けられた後方突部に、それぞれ圧縮コイルバネＩの先端部が嵌合し、これらの圧縮コイルバネＩにより、受止部Ｒが水平方向前方向き（基盤部Ｓの所定直径Ｄ方向において中心からゲート部Ｇ側の径方向外方に向かう向き）に弾性的に支持されている。両コイルバネＩの基部は、壁体Ｗによってそれぞれ支持されている。
【００５３】
受止部Ｒの保持体Ｒ２の上面における横方向（所定直径Ｄに対する直交方向）の両側には突条が設けられている。
【００５４】
また受止部Ｒの保持体Ｒ２における底面の両側には、それぞれ下方に突出して内方に折曲した断面Ｌ字状をなす前後方向連続の係止突条Ｒ２１が設けられている。受止部Ｒは、その両係止突条Ｒ２１が、所定直径Ｄを挟んで平行状に基盤部Ｓに設けられた上下貫通の案内溝Ｓ１に係止された状態で、所定直径Ｄに沿った水平方向に往復動し得るよう基盤部Ｓに摺動支持されている。係止突条Ｒ２１は、その下面が基盤部Ｓの底面よりもやや上方に位置するよう案内溝Ｓ１に係止されているため、基盤部Ｓが床面等の上に固定され、上方から下向きの押圧力等を受けても、受止部Ｒの水平方向往復動が妨げられることが防がれる。
【００５５】
なお、受止部Ｒは、このような構成に限らず、例えば、レバー状部材を弾性的に前方に付勢したり、空気圧を利用した支持部品により弾性的に支持して、被保持棒Ｂを緩衝受止し得るもの等を採用することも可能である。
【００５６】
(6) カバー体Ｖは、主に、略円板状の上板部Ｖ１と、径方向断面が上方に向かって内向きに凸の曲線状に縮径することにより上板部Ｖ１への下向き荷重に対する強度及び剛性が高められている周壁部Ｖ２からなり、周壁部Ｖ２の一箇所から半径方向に上板部Ｖ１の中央部に至り、中央側端部が半円弧状凹部である略Ｕ字形状の開放部Ｕを有する。また、開放部Ｕのうち半径方向外端部に、上面が保持対象の水平方向通過経路Ｐの下側に臨む略方形状の外端底板部Ｖ３と、水平方向通過経路Ｐを挟んで外端底板部Ｖ３の両側に立設されて上板部Ｖ１を支持する側壁部Ｖ４を有する。
【００５７】
カバー体Ｖは、外端底板部Ｖ３を嵌合切欠部Ｎに嵌合させ、基盤部Ｓ全体を覆蓋するように、基盤部Ｓに取り付けることができる。この例では、基盤部Ｓの外周縁部Ｓ３がカバー体Ｖの外周下端部の内周側に設けられた内方開口の外周凹部Ｖ６に嵌合することにより、基盤部Ｓに対しカバー体Ｖが固定されている。この状態で外端底板部Ｖ３の上面と基盤部Ｓの上面の高さは等しくなる。外端底板部Ｖ３の上面は、基盤部Ｓ上面と同じ高さ（又はそれ以下）であることが望ましい。
【００５８】
なお、カバー体Ｖは、必ずしも基盤部Ｓ全体を覆蓋するものであることを要しない。
【００５９】
(7) ドアＯを十分に開くことにより、下方突起の被保持棒Ｂが、水平方向通過経路Ｐを水平方向一端向きに移動し、被保持棒Ｂがゲート部Ｇを通過しようとする。
【００６０】
被保持棒Ｂが、水平方向通過経路Ｐを、非保持位置であるゲート部Ｇよりも外方から保持位置（基盤部Ｓ上のゲート部Ｇよりも径方向内方）に向かって移動し、カバー体Ｖの開放部Ｕを通ってゲート部Ｇを通過しようとする際に、被保持棒Ｂが、閉じた状態のゲート部Ｇにおける水平方向に閉じる向きの付勢力に抗してゲート部Ｇを開くことができる運動エネルギーを有し又は力を受ければ、ゲート部Ｇが開いて被保持棒Ｂの非保持位置から保持位置への水平方向通過が許される。
【００６１】
その際、被保持棒Ｂが前記付勢力に抗してゲート部Ｇを開くことにより、被保持棒Ｂの水平方向一端向きの速度は低下する。
【００６２】
ゲート部Ｇは上方開放状態で水平方向に開くので、水平状の面の上側近傍の所定の水平方向通過経路Ｐを往復動し得る被保持棒Ｂが上方に延びていても、その被保持棒Ｂの水平方向通過を許容することができる。
【００６３】
被保持棒Ｂが更に水平方向一端向きに進むと、被保持棒Ｂは受止部Ｒに受止される。その際、被保持棒Ｂは、コイルバネＩの圧縮（或いは、コイルバネＩの圧縮及びゴム状弾性片Ｒ１の被保持棒Ｂと壁体Ｗの間での圧縮）によって、受止部Ｒにより水平方向通過経路Ｐに沿って緩衝受止される。
【００６４】
その後、主として圧縮コイルバネＩの弾性反発力により、ゲート部Ｇと受止部Ｒにより、保持位置において被保持棒Ｂが弾性的に保持される。それにより、扉体が、がたつきなく開放状態で維持される。保持位置におけるゲート部Ｇと受止部Ｒによる被保持棒Ｂの弾性的保持は、受止部Ｒ及びゲート部Ｇの双方又は一方の弾性押圧力により行い得る。
【００６５】
このように、水平方向通過経路Ｐを一端に向かう被保持棒Ｂの速度が、ゲート部Ｇを開く際の抵抗と受止部Ｒの緩衝作用により段階的に低下した後、その被保持棒Ｂがゲート部Ｇと受止部Ｒの間に保持されるので、被保持棒Ｂの速度が比較的速い場合に、被保持棒Ｂを保持する際に発生し得る大きな音が発生すること、保持装置Ｈに故障が発生すること、被保持棒Ｂを保持し切れずに跳ね返って再度ゲート部Ｇが開いて保持装置Ｈから離脱してしまうこと等を効果的に防いで、可及的に静かに而も確実性高く被保持棒Ｂを保持することができる。
【００６６】
被保持棒Ｂの保持を解除するには、被保持棒Ｂに対し水平方向通過経路Ｐを他端に向かう向きに十分な力を加えれば、閉じた状態のゲート部Ｇにおける水平方向に閉じる向きの付勢力に抗してゲート部Ｇを開くことができ、被保持棒Ｂを保持位置からゲート部Ｇを経て非保持位置に離脱させることができる。
【００６７】
(8) ゲート部Ｇが水平方向に開閉すると共にゲート部Ｇを水平方向に閉じる向きに付勢するためのゲート部作動機構を構成する揺動レバーＬ及び板バネＥ等、並びに、受止部Ｒが水平方向通過経路Ｐを一端に向かって運動する保持対象を緩衝受止するための受止部作動機構を構成する受止部Ｒ及びコイルバネＩ等のうち、カバー体Ｖを基盤部Ｓに取り付けた状態で、開放部Ｕに現れるのは、両揺動レバーＬの先端部と、受止部Ｒの前部から後部にわたる部分である。受止部Ｒの横方向両側部並びに揺動レバーＬの他の部分、板バネＥ、コイルバネＩ等の他の部分は上板部Ｖ１により覆蓋されている。
【００６８】
ゲート部作動機構のうち、揺動レバーＬの揺動軸受を構成する被支持円筒部Ｌ１及び停止片Ｌ２等を含む大部分及び板バネＥ、並びに、受止部作動機構のうち、コイルバネＩ及び受止部Ｒの往復動経路等のうち開放部Ｕ付近に位置するもの以外の部分を、カバー部が覆蓋して上方からの下向き押圧に対しゲート部Ｇ及び受止部Ｒの作動を保護する。
【００６９】
このような構成により、保持装置Ｈのカバー体Ｖが人に踏まれたり荷物等の一部が載ることにより上方からの下向き押圧力が作用した場合においても被保持棒Ｂの保持及び解放に支障が生じることが防がれる。また、種々の物品が各部材間等に挟まってそれらの動作が妨げられることにより被保持棒Ｂの保持及び解放に支障が生じることも防がれる。
【００７０】
揺動レバーＬの高さは、壁体Ｗの高さ及び受止部Ｒの高さより低く形成されている。このような構成により、カバー体Ｖの上板部Ｖ１が下方に撓んでも揺動レバーＬの揺動が妨げられない。また受止部Ｒの保持体Ｒ２の上面における横方向の両側にはそれぞれ前後方向の突条Ｒ２２が設けられているので、カバー体Ｖの上板部Ｖ１が下方に撓んで受止部Ｒの保持体Ｒ２の上面に接しても、上板部Ｖ１の下側凹部Ｖ７の下面に対し突条Ｒ２２が摺動する。そのため、受止部Ｒの水平方向前後往復動が可能な状態が維持される。下側凹部Ｖ７は、受止部Ｒの突条Ｒ２２が移動する範囲に対応して上板部Ｖ１の下面部に設けられ、突条Ｒ２２が上方に突起する高さに応じて上板部Ｖ１の下面の高さを高くしている。
【００７１】
また、外端底板部Ｖ３が基盤部Ｓの対応位置に設けられた上方開口の嵌合切欠部Ｎに嵌合することにより、カバー体Ｖ全体の剛性及び強度を向上させつつ外端底板部Ｖ３上面の高さを十分に低くすることができる。これにより、全体を高さを低く抑えつつゲート部Ｇ及び受止部Ｒの高さを十分に確保し且つゲート部Ｇ及び受止部Ｒの動作を確実にして被保持棒Ｂを確実に保持し得るものとすることができる。
【００７２】
また、外端底板部Ｖ３の上面及び基盤部Ｓの上面のうち開放部Ｕに対応する部分に、それぞれ、被保持体Ｒ２底面が接した場合に滑動し得るための滑り突条Ｖ５及び滑り突条Ｓ２が、所定直径Ｄに沿って複数本設けられている。これによって、被保持棒Ｂの保持及び保持解除動作の確実性が高められる。
【００７３】
壁体Ｗは、基盤部Ｓ上におけるゲート部作動機構及び受止部作動機構の外周側に立設され、特に、それらを囲むように形成されており、カバー体Ｖの上板部Ｖ１の下面を支持して上板部Ｖ１の下方撓みを可及的に防ぎ、両作動機構を保護する。その意味で、壁体Ｗの高さは、両作動機構の高さよりも高いことが望ましい。
【００７４】
(9) なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００７５】
【図１】平面図である。
【図２】被保持棒が保持装置に保持された状態の要部縦断面図である。
【図３】被保持棒が保持装置に保持された状態の背面視説明図である。
【図４】正面図である。
【図５】カバー体を外した状態の平面図である。
【図６】図５における基盤部のVI−VI線端面図である。
【図７】受止部及びコイルバネの側面を含む縦断面図である。
【図８】揺動レバーを含む縦断面図である。
【図９】カバー体の平面図である。
【図１０】カバー体の一部破砕正面図である。
【図１１】カバー体の縦断面図である。
【図１２】基盤部の平面図である。
【符号の説明】
【００７６】
Ｂ      被保持棒
Ｃ      被保持棒支持体
Ｄ      所定直径
Ｅ      板バネ
Ｆ      床面
Ｇ      ゲート部
Ｈ      保持装置
Ｉ      コイルバネ
Ｊ      支持軸体
Ｋ      ねじ孔
Ｌ      揺動レバー
Ｌ１    被支持円筒部
Ｌ２    停止片
Ｌ３    ゲートレバー部
Ｌ４    被押圧突起部
Ｎ      嵌合切欠部
Ｐ      水平方向通過経路
Ｒ      受止部
Ｒ１    ゴム状弾性片
Ｒ１１  円弧状凹面部
Ｒ２    保持体
Ｒ２１  係止突条
Ｒ２２  突条
Ｓ      基盤部
Ｓ１    案内溝
Ｓ２    滑り突条
Ｓ３    外周縁部
Ｕ      開放部
Ｖ      カバー体
Ｖ１    上板部
Ｖ２    周壁部
Ｖ３    外端底板部
Ｖ４    側壁部
Ｖ５    滑り突条
Ｖ６    外周凹部
Ｖ７    下側凹部
Ｗ      壁体
Ｘ      滑り突条
Ｙ      ドア
【図１】
2009167772.tif 000003
【図２】
2009167772.tif 000004
【図３】
2009167772.tif 000005
【図４】
2009167772.tif 000006
【図５】
2009167772.tif 000007
【図６】
2009167772.tif 000008
【図７】
2009167772.tif 000009
【図８】
2009167772.tif 000010
【図９】
2009167772.tif 000011
【図１０】
2009167772.tif 000012
【図１１】
2009167772.tif 000013
【図１２】
2009167772.tif 000014